(57)【要約】      （修正有）【課題】側面開放型タープテントの支柱に取付けるタイプのタープテント固定具であって、ロープ及びペグを使用せずに安定固定でき、複雑な構造をとることなく、軽量で、設営も容易な、タープテント固定具を提供する。【解決手段】重量物を収納する上面が開口した略直方体形状の収納体７と、前記収納体をタープテント支柱に取付ける取付部材１１と、前記重量物を保持する止着部材２１とからなることを特徴とし、前記重量物の重量によってタープテントを安定固定することができる。【選択図】図２
0003184098.tif 000002
【実用新案登録請求の範囲】
【請求項１】
タープテント支柱に取り付けるタープテント固定具であって、上面が開口した略直方体形状の収納体と、前記収納体をタープテント支柱に取り付ける取付部材と、前記収納体の相対向する両側面部にそれぞれ設けられる、前記収納体上面に架け渡され、互いが係着される止着部材とを備えていることを特徴とするタープテント固定具
【請求項２】
請求項１記載のタープテント固定具であって、前記取付部材又は／及び前記止着部材は、帯状部材と、前記帯状部材に貼着された面ファスナーとからなることを特徴とするタープテント固定具
【請求項３】
請求項２記載のタープテント固定具であって、前記取付部材又は／及び前記止着部材は、一端に略長方形状環状部材を装着する第一の帯状部材と、一端を前記略長方形状環状部材に挿通折り返され、片面に雄雌一対の面ファスナーが貼着される第二の帯状部材とからなることを特徴とするタープテント固定具
【請求項４】
請求項３記載のタープテント固定具であって、前記止着部材である第一の帯状部材と第二の帯状部材とは、前記収納体の側面部から底面部に回り込み、前記側面部に相対向する側面部に渡って、一体的に形成される帯状部材であることを特徴とするタープテント固定具
【請求項５】
請求項３乃至４いずれか記載のタープテント固定具であって、前記取付部材である第一の帯状部材と第二の帯状部材とは、前記収納体の４つの側面部に渡って、一体的に形成される帯状部材であることを特徴とするタープテント固定具
【請求項６】
請求項１乃至５いずれか記載のタープテント固定具であって、前記収納体は柔軟な素材からなり、折畳み可能であることを特徴とするタープテント固定具
【考案の詳細な説明】
【技術分野】
【０００１】
本考案は、タープテント支柱に取り付けるタープテント固定具に関する。
【背景技術】
【０００２】
天幕屋根を有する側面開放型のタープテントを設営する際に、支柱を立設し、上方からロープを張り出し、取り付けたペグを地面に打ち込んで、タープテントを安定固定させる。また、地面がコンクリート等のペグを打ち込めない場合においては、ペグの代わりに、ロープを立木に結びつけたり、石などの重量物をロープに括り付けて、安定固定させていた。
しかし、ペグの打ち込みには労力を要し、また、ペグの打ち込みが不可能な場合において、適した立木や石などがない場合には、タープテントの設営が難しいという問題があった。
そこで、支柱に取り付けるタイプのタープ・テントの固定具に関する技術が公開されている。
【先行技術文献】
【特許文献】
【０００３】
【特許文献１】特開２００５−３２０７８２号公報
【特許文献２】特開２０１１−１１１８７８号公報
【考案の概要】
【考案が解決しようとする課題】
【０００４】
特許文献１に記載のタープ支柱固定具は、各支柱に４つの袋体を取り付けることから、取り付けが容易ではない等の問題があった。
【０００５】
特許文献２記載のテント用アンカーは、シンプルな構造であるが、テントを設営する前に支柱に取り付ける必要があり、テント設営後の取り付けが不可能である。また、桶状で折り畳みが不可能であることから、複数を重ねて持ち運べるとしても、絶対的な容積が大きい等の問題があった。
【０００６】
そこで、本考案は、タープテント支柱への取り付けが容易で、シンプルな構造とし、不使用時はコンパクトに折り畳み可能で軽量である、上記問題を解決したタープテント固定具を提供することを目的とする。
【課題を解決するための手段】
【０００７】
請求項１記載のタープテント固定具は、タープテント支柱に取り付けるタープテント固定具であって、上面が開口した略直方体形状の収納体と、前記収納体をタープテント支柱に取り付ける取付部材と、前記収納体の相対向する両側面部にそれぞれ設けられる、前記収納体上面に架け渡され、互いが係着される止着部材とを備えていることを特徴とする。
【０００８】
前記収納体に重量物を収納することによって、その重さによってタープテントを安定固定し、前記取付部材によって前記収納体をタープテント支柱に取り付ける。そして、前記止着部材によって、前記収納体内の重量物である収納物を保持することとなる。
【０００９】
請求項２記載のタープテント固定具は、請求項１記載のタープテント固定具であって、前記取付部材又は／及び前記止着部材は、帯状部材と、前記帯状部材に貼着された面ファスナーとからなることを特徴とする。
【００１０】
前記取付部材又は／及び前記止着部材に、帯状部材と面ファスナーを用いることにより、タープテント支柱への取付け、重量物の保持が容易となる。
【００１１】
請求項３記載のタープテント固定具は、請求項２記載のタープテント固定具であって、前記取付部材又は／及び前記止着部材は、一端に略長方形状環状部材を装着する第一の帯状部材と、一端を前記略長方形状環状部材に挿通折り返され、片面に雄雌一対の面ファスナーが貼着される第二の帯状部材とから
なることを特徴とする。
【００１２】
前記取付部材又は／及び前記止着部材である帯状部材の、一方には略長方形状の環状部材を取付け、他方の端を該環状部材に挿通し、折り返して面ファスナーにて係着する。支柱・収納物の大きさに応じて、適切な位置で折り返すことにより、しっかりと固定できるとともに、係着位置の微調整も容易となる。
【００１３】
請求項４記載のタープテント固定具は、請求項３記載のタープテント固定具であって、前記止着部材である第一の帯状部材と第二の帯状部材とは、前記収納体の側面部から底面部に回り込み、前記側面部に相対向する側面部に渡って、一体的に形成される帯状部材であることを特徴とする。
【００１４】
前記止着部材を側面から底面、そして対向する側面にまで回り込ませた一体的な構造とすることにより、止着部材である帯状部材の強度を向上させるとともに、収納体も強固となることとなる。
【００１５】
請求項５記載のタープテント固定具は、請求項３乃至４いずれか記載のタープテント固定具であって、前記取付部材である第一の帯状部材と第二の帯状部材とは、前記収納体の４つの側面部に渡って、一体的に形成される帯状部材であることを特徴とする。
【００１６】
前記取付部材を４つの側面をぐるりと回るような一体的な構造とすることにより、取付部材である帯状部材の強度を向上させるとともに、収納体も強固となることとなる。
【００１７】
請求項６記載のタープテント固定具は、請求項１乃至５いずれか記載のタープテント固定具であって、前記収納体は柔軟な素材からなり、折畳み可能であることを特徴とする。
【００１８】
収納体を布・塩化ビニル等の柔軟な素材とすることにより、収納物を取り出した不使用時には、折り畳んで収納することが可能となり、かさばらずに持ち運びができるとともに、軽量とすることができる。
【考案の効果】
【００１９】
本考案によれば、ロープ及びペグを使用せずに、タープテントを安定固定でき、複雑な構造をとることなく軽量であるタープテント固定具とすることができ、設置も容易である等の優れた効果を得ることができる。
【図面の簡単な説明】
【００２０】
【図１】本考案の実施の形態において、タープテント固定具で固定するタープテントの側面図である。
【図２】本考案の実施の形態において、タープテント固定具の斜視図である。
【図３】本考案の実施の形態において、タープテント固定具の収納物の例である。
【図４】本項案の実施の形態において、タープテントの支柱にタープテント固定具を取付けた状態の斜視図である。
【考案を実施するための形態】
【００２１】
以下、図面を参照しつつ、考案の実施の形態について説明する。
【００２２】
本実施の形態については、図１に示すような略四角錐状の天幕屋根２を有し、四隅を地面から垂直に立設する支柱３で支え、天幕屋根２底辺四隅にロープ４の一端を連結し、その反対端を地面にペグ５にて固定しているタープテント１の支柱３を固定するタープテント固定具６（以下、「固定具６」とする。）について説明する。
なお、本考案の実施の形態としては、タープテント１の支柱３を４本としているが、特に限定されるものでなく、支柱３を３本としたタープテントや、支柱が外部に露出し、側面部が覆われているテント等の支柱を固定する固定具としても実施可能である。
また、４本すべての支柱３に固定具６を取付けることによって、タープテント１をより安定固定させることとなるが、設置地面の状況等によって、取付け数は任意であり、ひとつの固定具６の取付けであっても安定固定の効果は得られる。
なお、固定具６は、タープテント１を設営した後でも、支柱３を立設している段階のタープテント１の設営中であっても、取付けは可能である。
【００２３】
図２に示す、固定具６の収納体７の素材としては、布、ナイロン、ポリエステル、塩化ビニル等の柔軟性があり、重量物を収納する強度を確保した上において、軽量かつ薄手のものが好ましく、防水加工もしくは撥水加工が施されていることが望ましい。
係る素材であることにより、様々な形の収納物の収納が可能となり、不使用時に折り畳むことができ、かさばらずに固定具６を携帯することができる。
【００２４】
本考案の固定具６は、収納体７に収納物３１を入れ、収納物３１の重量により、タープテント１を安定固定させることとなる。本実施例においては、図３に示すように、収納物３１を水で満たされた飲料水用ポリタンクとしているが、支柱３を固定するに十分な重量があれば、収納体７に収まる限りにおいて、他の流動体が入った容器、砂・砂利等を納めた袋体、石等を利用可能である。
なお、飲料水用ポリタンクの容量としては、タープテント１を安定固定させるために十分な重量があることが望ましいが、重量が増すにつれて容積も増え、設営状態で邪魔になるのを避けるために、１０リットルから２０リットル程度の容量が適当である。該容量に対応させるため、収納体７のサイズとしては幅、奥行、高さ、それぞれ２０センチメートルから４０センチメートル程度であることが望ましく、また、設営時の安定性を考慮すると、幅、奥行、高さを同程度の長さとすることが望ましい。
また、収納体７に防水機能を持つ素材を使用することにより、収納体７に水等の流動体を直接注入することも可能である。
【００２５】
次に、本考案の固定具６をタープテント１の支柱３に取付け、タープテント１を安定固定させる方法について、図２乃至図４を参照しつつ説明する。
【００２６】
図２は固定具６の斜視図となるが、固定具６は、収納物３１を収納する収納体７と、収納体７を支柱３に取付ける取付部材と、収納体７内の収納物３１を保持するための止着部材とから構成される。
【００２７】
本実施例においての取付部材は、一端に略長方形状環状部材（以下、「環状部材という。）１２の長手方向の一方の部分を包むように巻装して（長手方向の他方の部分と短手方向の部分は露出させている）、他端を収納体７の側面部に装着した第一の帯状部材（以下、「第一部材」という。）１１と、一端に面ファスナー雄面（以下、「雄面」という。）１４を貼着し、雄面１４から長手方向数センチメートルから十数センチメートル程度の同一面に面ファスナー雌面（以下、「雌面」という。）１５とを貼着させ、他端が収納体７の側面部に装着されている第二の帯状部材（以下、「第二部材」という。）１３とからなる。
第一部材１１と第二部材１３とは、収納体７の同一の側面部の横手方向に並列して装着される。
【００２８】
本実施例においての取付部材は、収納体７側面部の上方と下方の２箇所に装着されているが、支柱３に安定取付けできる限りにおいて、その収納体７への取付位置、取付数量は任意であり、一又は複数の取付部材が装着される。
取付部材の数を多くすれば、それだけ支柱３に安定取付けされることとなるが、取付けるための手間もかかることから、そのバランスを考慮して、本実施例と同じく、二つであることが望ましい。
また、収納体７への取付位置も、取付時に収納体７の形状を維持する上からも、その側面部の上方と下方の２箇所であることが望ましい。
【００２９】
次に、取付部材によって、固定具６を支柱３に取付ける方法について説明する。
第一部材１１と第二部材１３の間の収納体７側面部寄りの位置に支柱３を挟むように設置して、第二部材１３の一端を環状部材１２に挿通して、支柱３が十分に挟持された状態で、第二部材１３を折り返して、第二部材１３に貼着されている雄面１４と雌面１５とを合わせて止着することによって、第一部材１１と第二部材１３とが係着し、支柱３が保持される。
雄面１４と雌面１５とは、第二部材１３の長手方向に十分な幅を持たせることによって、第二部材１３の折り返し位置にかかわらず、雄面１４と雌面１５とは止着可能となるとともに、様々な径の支柱３に対応できることとなり、支柱３の断面が四角形状、円形状であるかを問わずに取付けが可能となっている。
その取外しも、止着している雄面１４と雌面１５とを剥がして、第二部材１３を環状部材１２から抜脱するのみであり、非常に簡易に付け外しが可能である。
【００３０】
本実施例においては、第一部材１１の一端と第二部材１３の一端とを、それぞれ収納体７側面部に装着しているが、第一部材１１と第二部材１３とを一の帯状部材として、一端に環状部材１２を巻装し、他端に雄面１４を貼着して、雄面１４から長手方向数センチメートルから十数センチメートル程度の同一面に雌面１５を貼着させた取付部材とすることもできる。
該取付部材の両端部から数センチメートルから十数センチメートル程度を除いた部分を、収納体７の４つの側面部を巻くように装着することによって、本実施例の取付部材と同様の機能となり、収納体７が強固となる効果が得られるとともに、装着部分の面積が増えることにより取付部材が頑強となる効果が得られる。
【００３１】
本実施例においては、第一部材１１に環状部材１２を巻装し、第二部材１３に雄面１４と雌面１５とを貼着させているが、第一部材１１に雄面１４を貼着させ、第二部材１３に雌面１５を貼着させて、両面を止着して、第一部材１１と第二部材１３とを係着させるようにすることもできる。
また、取付部材の支柱３への取付手段として、面ファスナーを用いずに、帯状部材に美錠・バックル等を装着して係着するようにすることもできる。
さらには、取付部材は帯状部材に限定されるものではなく、紐状部材として、結束することにより支柱３に取付けるようにすることもできる。
【００３２】
次に、収納体７に設けられる止着部材について説明する。
止着部材は、収納体７に入れる収納物３１を保持するためのものであり、本実施例においての止着部材は、一端に環状部材２２の長手方向の一方の部分を包むように巻装して（長手方向の他方の部分と短手方向の部分は露出させている）、該端が数センチメートル程度、収納体７の側面部から延出するように装着した第一部材２１と、一端に雄面２４を貼着し、雄面２４から長手方向十数センチメートルから数十センチメートル程度の同一面に雌面２５とを貼着させ、該端が数十センチメートル程度、収納体７の側面部から延出するように装着されている第二部材２３とからなる。
第一部材２１は収納体７の側面部縦手方向に、第二部材２３は前記第一部材２１が装着される収納体７の側面部に対向する側面部の縦手方向に装着される。
【００３３】
本実施例においての止着部材は、取付部材が装着された収納体７側面部と該側面部に対向する側面部に二対の止着部材、残るふたつの相対向する両側面部に一対の止着部材が装着されているが、収納物３１を保持でき、かつ相対向する両側面部に取付けられる限りにおいて、取付面、取付数量は任意であり、一又は複数の止着部材が装着される。
止着部材の数を多くすれば、それだけ収納物３１が強固に保持されることとなるが、止着するための手間もかかることから、そのバランス、取付部材の位置等を考慮して、本実施例と同じく、取付部材が装着された収納体７側面部と該側面部に対向する側面部に二対、残るふたつの相対向する両側面部に一対と、三つであることが望ましい。
また、収納体７への取付位置も、収納体３１の保持の上からも、一対の場合は側辺２分の１の位置、二対の場合は側辺の３分の１間隔の位置に取付けることが望ましい。
【００３４】
次に、止着部材によって、収納体７内の収納物３１を保持する方法について説明する。
収納体７に収納物３１を入れた後、収納体７の上面部を架け渡すように、第二部材２３の一端を環状部材２２に挿通して、収納物３１が十分に拘持された状態で、第二部材２３を折り返して、第二部材２３に貼着されている雄面２４と雌面２５とを合わせて止着させることによって、第一部材２１と第二部材２３とが係着し、収納物３１が保持される。
雄面２４と雌面２５とは、第二部材２３の長手方向に十分な幅を持たせることによって、第二部材２３の折り返し位置にかかわらず、雄面２４と雌面２５とは止着可能となるとともに、様々な大きさ・形状の収納物３１に対応できることとなる。
その解放も、止着している雄面２４と雌面２５とを剥がして、第二部材２３を環状部材２２から抜脱するのみであり、非常に簡易に収放が可能である。
【００３５】
本実施例においては、第一部材２１と第二部材２３とを、それぞれ収納体７の相対向する両側面部に装着しているが、第一部材２１と第二部材２３とを一の帯状部材として、一端に環状部材２２を巻装し、他端に雄面２４を貼着して、雄面２４から長手方向十数センチメートルから数十センチメートル程度の同一面に雌面２５を貼着させた止着部材とすることもできる。
該止着部材の環状部材２２を巻装した端から数センチメートル程度、他端から数十センチメートル程度を除いた部分を、収納体７の側面部から底面部、さらに前記側面部に相対向する側面部に沿って装着することによって、本実施例の止着部材と同様の機能となり、収納体７が強固となる効果が得られるとともに、装着部分の面積が増えることにより止着部材が頑強となる効果が得られる。
【００３６】
本実施例においては、第一部材２１に環状部材２２を巻装し、第二部材２３に雄面２４と雌面２５とを貼着させているが、第一部材２１に雄面２４を貼着させ、第二部材２３に雌面２５を貼着させて、両面を止着して、第一部材２１と第二部材２３とを係着させるようにすることもできる。
また、収納物３１の保持手段として、面ファスナーを用いずに、帯状部材に美錠・バックル等を装着して係着するようにすることもできる。
さらには、止着部材は帯状部材に限定されるものではなく、紐状部材として、結束することにより収納物３１を保持するようにすることもできる。
【００３７】
１０リットルから２０リットル程度の飲料水用ポリタンクのほとんどには、把手３２が装備されていることから、タープテント１のロープ４をペグ５で固定する代わりに、図４に示すように、ロープ４の一端を把手３２に結束することによって、ペグ５で固定するのと同等の効果が得られ、タープテント１をより安定固定することもできる。
【符号の説明】
【００３８】
１              タープテント
２              天幕屋根
３              支柱
４              ロープ
５              ペグ
６              タープテント固定具
７              収納体
１１            第一の帯状部材（取付部材）
１２            略長方形状環状部材（取付部材）
１３            第二の帯状部材（取付部材）
１４            面ファスナー雄面（取付部材）
１５            面ファスナー雌面（取付部材）
２１            第一の帯状部材（止着部材）
２２            略長方形状環状部材（止着部材）
２３            第二の帯状部材（止着部材）
２４            面ファスナー雄面（止着部材）
２５            面ファスナー雌面（止着部材）
３１            飲料水用ポリタンク
３２            把手
３３            蓋
３４            飲料水
【図１】
0003184098.tif 000003
【図２】
0003184098.tif 000004
【図３】
0003184098.tif 000005
【図４】
0003184098.tif 000006